(57)【要約】【課題】簡易な構造で乳幼児の姿勢を適切な状態に保つことのできる育児器具の座席マットを提供すること。【解決手段】座面部（３）と、座面部に連なって設けられる背もたれ部（２）とを備え、座面部は、尻を支える座面支え部（４）と、座面支え部に連なって設けられ、脚を支える足支え部（５）とを有し、座面部の裏面には、座面支え部の前方領域（４１）の裏面に重なる位置と、前記座面支え部の前方領域の裏面に重ならない位置とに位置変更可能に設けられるパッド部（６）が取り付けられる。【選択図】図６
2018068893.tif 000002
【特許請求の範囲】
【請求項１】
座面部と、前記座面部に連なって設けられる背もたれ部とを備え、
前記座面部は、尻を支える座面支え部と、前記座面支え部に連なって設けられ、脚を支える足支え部とを有し、
前記座面部の裏面には、前記座面支え部の前方領域の裏面に重なる位置と、前記座面支え部の前方領域の裏面に重ならない位置とに位置変更可能に設けられるパッド部が取り付けられる、育児器具の座席マット。
【請求項２】
前記パッド部の一方端部は、前記座面支え部と前記足支え部の境界部分に取り付けられ、
前記パッド部の他方端部を移動させることにより、前記座面支え部の裏面または前記足支え部の裏面と重なる位置に位置変更可能である、請求項１に記載の育児器具の座席マット。
【請求項３】
前記足支え部は、足当て部と、前記足当て部の先端部から立ち上がる立壁部とを含み、
前記立壁部は、前記足支え部の裏面側に折り返し可能である、請求項１または２に記載の育児器具の座席マット。
【請求項４】
前記足支え部は、前記立壁部の右端から右方に突出するように設けられる右突出部と、前記立壁部の左端から左方に突出するように設けられる左突出部とをさらに含み、
前記右突出部および前記左突出部は、前記足支え部の裏面側に折り返し可能である、請求項３に記載の育児器具の座席マット。
【請求項５】
前記右突出部および前記左突出部には、第１留め具がそれぞれ設けられ、
前記第１留め具は、育児器具の左端部および右端部に設けられる第２留め具とそれぞれ着脱可能に連結する、請求項１〜４のいずれかに記載の育児器具の座席マット。
【請求項６】
前記足支え部と前記パッド部との境界部分には、一対の第３留め具が設けられており、
前記第１留め具は、前記第３留め具とそれぞれ着脱可能に連結する、請求項５に記載の育児器具の座席マット。
【請求項７】
前記背もたれ部と前記パッド部との境界部分には、一対の第４留め具が設けられており、
前記第１留め具は、前記第４留め具とそれぞれ着脱可能に連結する、請求項５または６に記載の育児器具の座席マット。
【発明の詳細な説明】
【技術分野】
【０００１】
この発明は、育児器具の座席マットに関し、特に、育児器具に取り付けられる育児器具の座席マットに関する。
【背景技術】
【０００２】
従来から、背部の傾斜角度を調節可能にしたリクライニング構造を備えた育児器具が知られている。このような育児器具は、背部を倒したベッドの状態や、背部を起こした椅子の状態など、乳幼児の成長に合わせて変位可能である。
【０００３】
背部を起こして椅子の状態で使用する場合、育児器具の座部が前後方向に対して略水平であると、乳幼児は、その下半身が次第に前方へ滑ってしまい、尻で座っている状態から腰または背中で座る状態になり、背中が曲がって非常に好ましくない姿勢になってしまうという問題があった。
【０００４】
育児器具が乳母車の場合、このような問題を解決したものとして、たとえば、特開平３−１８２８７０公報（特許文献１）がある。特許文献１には、乳母車の背もたれ部のリクライニング動作に連動して、乳母車のフレームの座面角度を後傾させ、乳幼児の前滑りを防止することが開示されている。
【先行技術文献】
【特許文献】
【０００５】
【特許文献１】特開平３−１８２８７０公報
【発明の概要】
【発明が解決しようとする課題】
【０００６】
上記特許文献１に開示された乳母車は、椅子の状態で使用する場合、ベッドの状態で使用する場合のどちらにおいても、最適な座部と背もたれ部との角度を選択することができる。しかし、特許文献１の乳母車は、座面角度の変更を乳母車のフレームで行うため、構造が複雑である。
【０００７】
本発明は、上記のような課題を解決するためになされたものであって、その目的は、簡易な構造で乳幼児の姿勢を適切な状態に保つことのできる育児器具の座席マットを提供することを目的とする。
【課題を解決するための手段】
【０００８】
この目的のため、本発明の一態様に係る育児器具の座席マットは、座面部と、座面部に連なって設けられる背もたれ部とを備え、座面部は、尻を支える座面支え部と、座面支え部に連なって設けられ、脚を支える足支え部とを有し、座面部の裏面には、座面支え部の前方領域の裏面に重なる位置と、座面支え部の前方領域の裏面に重ならない位置とに位置変更可能に設けられるパッド部が取り付けられる。
【０００９】
好ましくは、パッド部の一方端部は、座面支え部と足支え部の境界部分に取り付けられ、パッド部の他方端部を移動させることにより、座面支え部の裏面または足支え部の裏面と重なる位置に位置変更可能である。
【００１０】
好ましくは、足支え部は、足当て部と、足当て部の先端部から立ち上がる立壁部とを含み、立壁部は、足支え部の裏面側に折り返し可能である。
【００１１】
好ましくは、足支え部は、立壁部の右端から右方に突出するように設けられる右突出部と、立壁部の左端から左方に突出するように設けられる左突出部とをさらに含み、右突出部および左突出部は、足支え部の裏面側に折り返し可能である。
【００１２】
好ましくは、右突出部および左突出部には、第１留め具がそれぞれ設けられ、第１留め具は、育児器具の左端部および右端部に設けられる第２留め具とそれぞれ着脱可能に連結する。
【００１３】
好ましくは、足支え部とパッド部との境界部分には、一対の第３留め具が設けられており、第１留め具は、第３留め具とそれぞれ着脱可能に連結する。
【００１４】
好ましくは、背もたれ部とパッド部との境界部分には、一対の第４留め具が設けられており、第１留め具は、第４留め具とそれぞれ着脱可能に連結する。
【発明の効果】
【００１５】
本発明によれば、簡易な構造で乳幼児の姿勢を適切な状態に保つことのできる育児器具の座席マットを提供することができる。
【図面の簡単な説明】
【００１６】
【図１】本発明の実施形態に係る育児器具の座席マットを前面側から見た外観図である。
【図２】図１に示す状態の育児器具の座席マットを、図１中のＩＩ−ＩＩで切断した断面図である。
【図３】本発明の実施形態に係る育児器具の座席マットを後面側から見た外観図である。
【図４】図３に示す状態の育児器具の座席マットにおいて、パッド部を座面支え部側に位置変更した状態を示す外観図である。
【図５】背もたれ部を倒した状態の育児器具の座席マットを示す図であって、図５（Ａ）は、斜視図であり、図５（Ｂ）は、図５（Ａ）中のＶ−Ｖで切断した断面図であり、図５（Ｃ）は、図５（Ａ）の側面図である。
【図６】背もたれ部を少し起こした状態の育児器具の座席マットを示す図であって、図６（Ａ）は、斜視図であり、図６（Ｂ）は、図６（Ａ）中のＶＩ−ＶＩで切断した断面図であり、図６（Ｃ）は、図６（Ｂ）の矢印から見て拡大した図である。
【図７】背もたれ部を起こした状態の育児器具の座席マットを示す図であって、図７（Ａ）は、斜視図であり、図７（Ｂ）は、図７（Ａ）中のＶＩＩ−ＶＩＩで切断した断面図であり、図７（Ｃ）は、図７（Ｂ）の矢印から見て拡大した図である。
【発明を実施するための形態】
【００１７】
本発明の実施の形態について図面を参照しながら詳細に説明する。なお、図中同一または相当部分には同一符号を付してその説明は繰り返さない。
【００１８】
＜本実施の形態＞
図１〜図４を参照して、育児器具の座席マット１の説明をする。なお、以下の説明において、左右方向および上下方向は、それぞれ、図１の紙面上の左右方向および上下方向を基準とする。また、座面支え部４と足支え部５との境界部分を一点鎖線で示している。
【００１９】
図１〜図４を参照して、育児器具の座席マット１は、座面部３と、座面部３に連なって設けられる背もたれ部２とを備える。座面部３は、尻を支える座面支え部４と、座面支え部４に連なって設けられ、脚を支える足支え部５とを有する。座面部３の裏面には、パッド部６が取り付けられる。背もたれ部２と、座面部３を構成する座面支え部４および足支え部５と、パッド部６とは、クッション性を有する部材から構成されている。なお、背もたれ部２には、育児器具の肩ベルト（図示せず）を通す一対のベルト穴２１が設けられている。また、座面支え部４にも育児器具の股ベルト（図示せず）を通すベルト穴３１が設けられている。
【００２０】
パッド部６は、座面部３の裏面に取り付けられ、座面支え部４の前方領域の裏面に重なる位置と、座面支え部４の前方領域４１の裏面に重ならない位置とに位置変更可能に設けられる。座面支え部４の前方領域４１とは、足支え部５側の領域であり、たとえば、乳母車１００（図５〜図７）に取り付けた場合に、乳母車１００の座部１０２の前方に位置し、主に乳幼児の尻が載置されない領域である。座面支え部４の前方領域４１は、股ベルトのベルト穴３１の前方に位置してもよい。
【００２１】
パッド部６は、その一方端部が座面支え部４と足支え部５の境界部分に取り付けられている。パッド部６の他方端部である先端６１を移動させることにより、座面支え部４の裏面側または足支え部５の裏面側に配置することができる。図２および図３に示すように、パッド部６を足支え部５の裏面側に配置した状態においては、座面支え部４の高さを平らにすることができる。図４に示すように、パッド部６を座面支え部４の裏面側に配置した状態においては、座面支え部４の前方領域４１の高さをその後方よりも高くすることができる。
【００２２】
足支え部５は、足当て部５１と、足当て部５１の先端部から立ち上がる立壁部５２を含む。具体的には、立壁部５２は、足当て部５１から斜めに立ち上がるように足当て部５１の先端に縫い付けられている。さらに、足支え部５は、立壁部５２の右端から右方に突出するように設けられる右突出部５３と、立壁部５２の左端から左方に突出するように設けられる左突出部５４とを含んでもよい。右突出部５３は、立壁部５２の左端に縫い付けられ、左突出部５４は、立壁部５２の右端に縫い付けられる。また、立壁部５２は、足支え部５の裏面側に折り返し可能である。これにより、右突出部５３および左突出部５４も、足支え部５の裏面側に折り返し可能である。
【００２３】
右突出部５３には、第１留め具５５が設けられており、左突出部５４には、第１留め具５６が設けられている。この第１留め具５５，５６は、第２留め具３５，３６、第３留め具４５，４６または第４留め具６５，６６に着脱可能に連結する。また、第１留め具５５，５６は、その連結部が前面側に突出するように左右突出部５３，５４にそれぞれ取り付けられる。
【００２４】
第２留め具３５，３６は、図５に示すように、下述する育児器具としての乳母車１００の左端部および右端部に設けられている。第３留め具４５，４６は、図４に示すように、足当て部５１とパッド部６との境界部分から延出する第３帯部４３，４４にそれぞれ取り付けられる。具体的には、第３留め具４５，４６は、その連結部がパッド部６側に突出するように第３帯部４３，４４に取り付けられる。第４留め具６５，６６は、図３，４に示すように、座面支え部４とパッド部６との境界部分から延出する第４帯部６３，６４にそれぞれ取り付けられている。具体的には、第４留め具６５，６６は、その連結部がパッド部６ではなく、外方側に突出するように第４帯部６３，６４に取り付けられる。
【００２５】
このような育児器具の座席マット１は、たとえば、図５〜図７に示すように、乳母車１００のような座席付き育児器具の背部１０１および座部１０２上に置かれ、取り付けられる。座席付き育児器具としての乳母車１００は、背部１０１と座部１０２とを備える。乳母車１００の背部１０１を倒すことにより、ベッド状の形態にすることができる。また、乳母車１００の背部１０１を起こすことにより、椅子状の形態にすることができる。なお、乳母車１００の座部１０２は、常に水平に保たれている。
【００２６】
育児器具の座席マット１は、取り付けられる乳母車１００の背部１０１および座部１０２の形態に沿って配置され、背もたれ部２を倒したり、起こしたりすることができる。乳母車１００の背部１０１を倒し、これに合わせて背もたれ部２を倒すと、図５に示すように座席マット１はベッド状の形態となり、座席マット１上で乳幼児を寝かせることができる。また、乳母車１００の背部１０１を起こし、これに合わせて背もたれ部２を起こすと、図６，７に示すように座席マット１は椅子状の形態となり、座席マット１上で乳児を着座させることができる。
【００２７】
＜ベッド状の形態について＞
図５は、背もたれ部２を倒した状態の育児器具の座席マット１を示す図であって、図５（Ａ）は、斜視図であり、図５（Ｂ）は、図５（Ａ）中のＶ−Ｖで切断した断面図であり、図５（Ｃ）は、図５（Ａ）の側面図である。図５を参照して、乳母車１００の背部１０１を倒し、これに合わせて育児器具の座席マット１の背もたれ部２を倒してベッド状の形態にした場合について説明する。なお、ベッド状の形態で使用するのは、たとえば、生後から首すわり前の時期までである。
【００２８】
この場合、パッド部６を足支え部５の裏面に配置させる。さらに、足支え部５の右突出部５３に設けられる第１留め具５５を、乳母車１００の座部１０２の左端部に設けられる第２留め具３５に連結する。同様に、足支え部５の左突出部５４に設けられる第１留め具５６を、乳母車１００の座部１０２の左端部に設けられる第２留め具３６に連結する。立壁部５２は、足当て部５１から立ち上がるように縫い付けられているが、第１留め具５５，５６と第２留め具３５，３６とを連結することにより、さらに確実に上方に立ち上がる。これにより、座席マット１上は、平らなベット状態となり、乳幼児を平らな状態で寝かせることができる。また、乳幼児の前方が確実にガードされているという安心感を与えるとともに、座席マット１の意匠性も向上させることができる。
【００２９】
＜背もたれ部を少し起こした椅子状の形態について＞
図６は、背もたれ部２を少し起こした状態の育児器具の座席マット１を示す図であって、図６（Ａ）は、斜視図であり、図６（Ｂ）は、図６（Ａ）中のＶＩ−ＶＩで切断した断面図であり、図６（Ｃ）は、図６（Ｂ）の矢印から見て拡大した図である。図６を参照して、乳母車１００の背部１０１を少し起こし、これに合わせて背もたれ部２を少し起こして椅子状の形態にした場合について説明する。なお、背もたれ部２を少し起こした状態で使用するのは、たとえば、首すわり後から頭すわり前までである。
【００３０】
この場合、パッド部６の先端６１を移動させることにより、パッド部６を座面支え部４の前方領域４１の裏面に重ならせる。さらに、足支え部５の右突出部５３を足当て部５１の裏面に折り返し、右突出部５３の第１留め具５５を、足当て部５１とパッド部６との境界部分に設けられる第３留め具４５に連結する。同様に、足支え部５の左突出部５４を足当て部５１の裏面に折り返し、左突出部５４の第１留め具５６を、足当て部５１とパッド部６との境界部分に設けられる第３留め具４６に連結する。
【００３１】
このように、乳母車１００の座部１０２が水平のままであるにも関わらず、パッド部６を座面支え部４の裏面に配置させるだけで、座面支え部４の前方領域４１の高さ位置を座面支え部４の後方よりも高くすることができる。これにより、乳幼児の前滑りを防止することができ、簡易な構造で乳幼児の姿勢を適切な状態に保つことのできる。
【００３２】
＜背もたれ部を起こした椅子状の形態について＞
図７は、背もたれ部２を起こした状態の育児器具の座席マット１を示す図であって、図７（Ａ）は、斜視図であり、図７（Ｂ）は、図７（Ａ）中のＶＩＩ−ＶＩＩで切断した断面図であり、図７（Ｃ）は、図７（Ｂ）の矢印から見て拡大した図である。図７を参照して、乳母車１００の背部１０１を起こし、これに合わせて背もたれ部２を起こして椅子状の形態にした場合について説明する。なお、椅子状の形態で使用するのは、乳幼児の首が座った後である。
【００３３】
この場合、パッド部６の先端６１を移動させることにより、パッド部６を座面支え部４の裏面に重ならないように、足支え部５の裏面と重なる位置に位置変更させる。さらに、立壁部５２を足支え部５の裏面に当接するように折り返し、右突出部５３および左突出部５４も足支え部５の裏面側に折り返す。これにより、折り返した立壁部５２、右突出部５３および左突出部５４により空間が形成される。この空間内にパッド部６を配置する。さらに、足支え部５の右突出部５３をパッド部６の裏面に折り返し、右突出部５３の第１留め具５５を、背もたれ部２とパッド部６とのとの境界部分に設けられる第４留め具６５に連結する。同様に、足支え部５の左突出部５４をパッド部６の裏面に折り返し、左突出部５４の第１留め具５６を、背もたれ部２とパッド部６との境界部分に設けられる第４留め具６６に連結する。
【００３４】
このように、パッド部６を座面支え部４から足支え部５の裏面に配置させるだけで、座面支え部４を水平にすることができる。したがって、乳母車のフレームなど複雑な構造によることなく、簡易な構造で乳幼児の姿勢を適切な状態に保つことができる。また、パッド部６を足支え部５の裏面に配置させることで、足支え部５のクッション性を向上させることができるため、乳幼児は、より快適に過ごすことができる。
【００３５】
なお、上記の実施の形態において、座席付き育児器具として、乳母車１００を例に説明した。しかし、育児器具としては、これに限定されず、ベビーラック、育児椅子、チャイルドシートなどであってもよい。本実施の形態に係る育児器具の座席マット１は、乳母車１００に限らず、付属品として、様々な育児器具に取り付けることができる。
【００３６】
また、上記の実施の形態において、パッド部６は、座面支え部４と足支え部５の境界部分に取り付けられるとして説明したが限定されない。パッド部６は、たとえば、座面支え部４の左右いずれかの一方端に取り付けられていてもよい。また、パッド部６は、座面支え部４の両端に取り付けられていてもよい。この場合、パッド部６は、半分に分割されていてもよく、座面支え部４の裏面に配置されない場合には、座席の左右に配置されるように折り返されていてもよい。
【００３７】
また、パッド部６の先端縁は、お尻の形状を受け入れるように、湾曲していてもよい。これにより、パッド部６を座面支え部４の裏面に重なる位置に配置した場合に、乳幼児のお尻の位置を低くすることができ、より確実に乳幼児の前滑りを防止することができる。
【００３８】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００３９】
１  座席マット、２  背もたれ部、３  座面部、４  座面支え部、５  足支え部、６  パッド部、２１，３１  ベルト穴、３５，３６  第２留め具、４１  前方領域、４３，４４  第３帯部、４５，４６  第３留め具、５１  足当て部、５２  立壁部、５３  右突出部、５４  左突出部、５５，５６  第１留め具、６１  先端、６３，６４  第４帯部、６５，６６  第４留め具、１００  乳母車、１０１  背部、１０２  座部。
【図１】
2018068893.tif 000003
【図２】
2018068893.tif 000004
【図３】
2018068893.tif 000005
【図４】
2018068893.tif 000006
【図５】
2018068893.tif 000007
【図６】
2018068893.tif 000008
【図７】
2018068893.tif 000009